(57)【要約】【課題】留守番電話装置において、用件メッセージを記憶し、使用者の設定条件に応じて、用件メッセージを再生する。【解決手段】電話番号を入力する手段と、その電話番号に該当する名前を入力する手段と符号または番号を入力する手段と、入力状況を表示する表示手段を持ち、発信者番号検出手段、符号または番号を検出する手段を具備した留守番電話装置である。【選択図】        図１
2004241807.tif 000002
【特許請求の範囲】
【請求項１】
着信時の発信者番号が通知された時、これを検出する発信者番号検出手段と用件メッセージを記憶する第１の記憶手段と、予め入力することができる名前とそれに該当する１つ以上の電話番号を記憶する第２の記憶手段と、予め入力することができる番号や符号を記憶する第３の記憶手段と、留守番モード中に着信した呼の情報を記憶する第４の記憶手段と、留守番モード中に発信者からの用件メッセージを前記第１の記憶手段に記憶すると共に、前記発信者番号検出手段により発信者番号が通知された時は、この発信者番号が前記第２の記憶手段に記憶されているかどうか検索し、記憶されている時は該発信者番号を持つ発信者名用の前記第４の記憶手段の領域に着信情報を記憶し、第２の記憶手段に前記発信者番号が記憶されていない時は、未登録として前記第４の記憶手段の領域に着信情報を記憶する制御手段を持ち、前記着信情報を表示する表示手段と、名前、電話番号、符号を入力できる操作手段  を具備する留守番電話装置。
【請求項２】
前記制御手段は、発信者番号検出手段により通知された発信者番号が前記第２の記憶手段に記憶されている場合でもされてない場合でも、用件メッセージを前記第１の記憶手段に記憶し、さらに記憶中に、前記第３の記憶手段に記憶されている番号または符号を検出した場合には、最優先用件メッセージとして前記第１の記憶手段および第４の記憶手段に記憶し、用件メッセージの再生の場合に、第１の記憶手段に記憶された用件メッセージの中から、この最優先用件メッセージを最初に再生する手段を具備することを特徴とする留守番電話装置。
【請求項３】
前記制御手段は、発信者番号検出手段により発信者番号が通知されない時は、前記第４の記憶手段の領域に着信時間と前記第１の記憶手段に当該発信者からの用件メッセージを記憶し、番号非通知の旨を記憶することを特徴とする留守番電話装置。
【請求項４】
前記制御手段は、発信者番号検出手段により発信者番号が通知された発信者番号が前記第２の記憶手段に記憶されている時は、着信情報として着信時刻、通知された発信者番号、名前、前記第１の記憶手段に当該発信者からの用件メッセージ記憶位置を第４の記憶手段に記憶し、前記発信者検出手段より検出された発信者番号が前記第２の記憶手段に記憶されていない時は、未登録の着信情報として着信時刻通知された発信者番号、前記第１の記憶手段における当該発信者からの用件メッセ―ジ記憶位置および番号未登録の識別番号を前記第４の記憶部の領域に記憶することを特徴とする留守番電話装置。
【発明の詳細な説明】
【０００１】
【発明の属する技術分野】
本発明は、公衆回線に接続される留守番電話装置に関するものであり、特に発信者の用件メッセージ（着信情報）を記録し、設定条件に応じて再生する留守番電話装置に関係するものである。
【０００２】
【従来の技術】
従来の留守番電話装置は、発信者からの音声メッセージを録音するのが主目的であり、使用者が再生して音声メッセージを確認するというものであった。
【０００３】
これらの留守番電話装置においては、同一発信者からの着信が複数回にわたってあり、さらにこの着信の間に別の発信者からの着信があった場合には、同一発信者からの音声メッセージを連続的に再生するために、同一の発信者番号毎に音声メッセージを時間的に管理して、再生する方法等が行なわれていた。
この方法で、一応は発信者毎に音声メッセージを再生することが可能となっていた。
【０００４】
【発明が解決しようとする課題】
しかしながら、前記した留守番電話装置においては、近年の携帯電話の普及により個人で複数の電話番号を持つ場合には、以下のような問題点を有している。
【０００５】
発信者番号単位で音声メッセージを管理しているため、同一発信者でも携帯電話からの着信、音声メッセージと自宅からの着信、音声メッセージを別々に管理するという問題が生じる。
また、同一発信者からの複数回にわたる着信、音声メッセージを時間的に管理しているため、緊急度の高い内容の音声メッセージを優先的に管理し再生することができないという問題が生じている。
【０００６】
【課題を解決するための手段】
本発明は、留守番電話装置に電話番号を入力する手段とその電話番号に該当する名前を入力する手段と、前記電話番号入力手段により入力された電話番号に別の番号や符号を付加する手段と、その内容を記憶する手段と、前記までの入力手段の入力状況を表示する表示手段を持ち、その上公衆回線より送られる発信者番号を解析する手段と、上記の電話番号に付加された別の番号や符号を検出する手段と送られて来た発信者番号、およびそれに続く着信情報（用件メッセージ）を、上記入力された電話番号および付加された番号および符号に応じて着信情報を記憶する手段と、前記の記憶された着信情報を使用者（ユーザー）の設定内容に応じて検索し管理する手段と、着信情報を再生する場合に使用者の設定内容に応じて再生する手段を用いて、同一人物が携帯電話番号からの発信と自宅からの発信を行なった場合ででも、一元的に管理し再生を行なうことを可能とする。
【０００７】
さらに、発信者が着信情報に予め決められた番号や符号を付加する（発信する）ことで、その着信情報が優先順位が最高位であると判断し管理するため、使用者が再生する場合に、最初にその着信情報を再生することが可能となる。
【０００８】
このような手段で構成されているため、１つの登録名に対して複数の電話番号が存在する発信者からの着信情報を容易に管理し、再生することができ、さらに緊急の着信情報を最初に再生することが行なえることを特徴としたものである。
【０００９】
【発明の実施の形態】
本発明の一実施例を示す。
図１は、本発明の留守番電話装置の一実施例を示す。
【００１０】
図２は、留守モード設定時の着信時の動作形態を示す。
図３は、本発明の留守番電話装置が用件メッセージを再生する実施形態を示す。
図４は、本発明の留守番電話装置の留守モード設定時の着信時の動作を表すフローチャートである。
【００１１】
図５は、本発明の留守番電話装置の用件メッセージ再生時の動作を表すフローチャートである。
【００１２】
図１から説明する。
１は回線であり、公衆回線（アナログ電話回線等）である。
【００１３】
２は、回線インターフェース部であり、トーン信号検出回路、呼び出し信号検出回路を含んでいる。
３は、発信者番号の通知情報検出部であり、４は、ＣＰＵを含む制御部である。
５は、１０Ｋｅｙを含む操作部であり、６は、状態を表示する表示部である。
【００１４】
７は、予め登録された電話番号、名前（電話帳として）を記憶する電話番号記憶部であり、８は、優先順位を決める符合または番号を記憶する番号、符号記憶部である。
【００１５】
９は、着信した後  発信者からの用件メッセージを記憶するメッセージ記憶部である。
【００１６】
１０は、着信の情報として用件メッセージおよび発信者をあらわす識別番号、さらに優先を表す番号、符号の有り無し、着信時間等を記憶する着信履歴記憶部である。
【００１７】
まず、１の回線より発信者識別信号が送られて来ると２の回線インターフェース部を経由して３の発信者番号検出部で、発信者の番号が検出される。
【００１８】
次に、呼び出し信号が１の回線を経由して、２の回線インターフェースに入る。
【００１９】
留守番電話装置が、この呼び出し信号により起動し、応答メッセージを発信者に送出する。
【００２０】
その後発信者が用件メッセージを伝える。
【００２１】
用件メッセージを９のメッセージ記憶部に記憶すると同時に、優先を示す番号、符号が発信者から送られて来るか否かも検出する動作に入る。（実施例では、８の番号または符号記憶部に予め記憶させた  ＊  １  ２  である。）
また、発信者番号が７の電話番号記憶部の電話番号、名前と合致するか否かも同時に行なっている。
【００２２】
用件メッセージが終了し、発信者が電話を切った後、この留守番電話装置も１の回線を開放し、発信者の素性（電話番号記憶部の名前、番号と合致する場合はその内容を、未登録の場合は、未登録、非通知の場合は非通知とする）、着信時刻、メッセージ記憶部のエリアの番地（アドレス情報）を１０の着信履歴記憶部に記憶するのである。
【００２３】
図２について説明する。
１つの登録者には複数の電話番号が存在する場合を想定している。
【００２４】
１０の着信履歴記憶部には、１０ａには自宅および携帯電話からの着信があったことを示している。
【００２５】
１０ｂは、携帯電話からの着信であり、しかも用件メッセージの優先を示す  ＊  １  ２が付加されていることを表す。
【００２６】
１０ｃは、未登録の発信者からの着信があったことを示す。
【００２７】
それらの用件メッセージが９のメッセージ記憶部に記憶された状態を示している。
【００２８】
このメッセージ記憶部の用件メッセージの記憶方式は、着信時刻の早いものから記憶する方式を取っている。
【００２９】
１０の着信履歴記憶部の１０ａでは、自宅電話からの着信（時刻  １２：５０）の用件メッセージが９のメッセージ記憶部の９ａのエリアに記憶されていることを示す。
【００３０】
図３について説明する。
【００３１】
留守番電話装置の使用者が、用件メッセージを再生して聞く場合の動作状況を示している。
【００３２】
図１の６の表示部に１１の表示を出しながら、用件メッセージを図１、２の９のメッセージ記憶部より音声信号に変換して、留守番電話装置のスピーカ等より送出する。
用件メッセージの再生の順番は、１１→１２→１３→１４の順番となる。
【００３３】
この時の再生の設定は、着信時刻の早いものから  と設定している。
１１は、優先を示す  ＊  １  ２  が記憶されているため、１２の着信時刻より遅いにもかかわらず、最初に再生する動作となる。
【００３４】
図４について説明する。
【００３５】
留守番電話装置が留守録操作を行なう場合のフローチャートである。
【００３６】
１５は着信ありで、留守番電話動作が開始する。
【００３７】
まず１６で発信者番号検出を行ない、１７で発信者番号通知情報があるか否かを判定している。
【００３８】
通知されない場合は、非通知であり、１８→２４の経由で２５の用件メッセージの前に優先を示す  ＊  １  ２があるか否かの検出動作に移る。
【００３９】
１７で発信番号が通知されていると判断された時は、１９の電話番号記憶部に登録されているか否かの判定を行なう。（電話帳登録されているか否か  の判定）登録されていない場合は、２０の着信履歴記憶部にその番号があるか否かの判定を行なう。
着信履歴記憶部に該当する番号が無い場合は、未登録番号として、着信履歴記憶部に、記憶領域を確保する。
逆に、２０にて着信履歴記憶部にすでに該当する番号がある場合は、２４のその記憶領域に情報を追加するように制御する。
【００４０】
１９で、電話番号記憶部に登録されていると判定された場合は、２１で着信履歴記憶部に該当する発信者用の記憶領域があるか否かの判定を行なう。
【００４１】
記憶領域が無い場合は、２３にて着信履歴記憶部にその発信者用の記憶領域を確保する。
【００４２】
２１で着信履歴記憶部にその発信者用記憶領域がある場合は、２４で着信情報が追加される制御となる。
【００４３】
２５は、優先示す  ＊  １  ２が検出されたか否かを判定するのであり、検出された場合は、２６の着信履歴記憶部の着信情報の領域に優先情報を追加する。
【００４４】
その上で、２７の用件メッセージをメッセージ記憶部に記憶する。
＊  １  ２が検出されない場合は、２７で用件メッセージをメッセージ記憶部に記憶する制御となる。
【００４５】
図５について説明する。
使用者が留守録された用件メッセージを再生する時のフローチヤートである。
【００４６】
２９は、操作部のＫｅｙ等を押下して、用件メッセージの再生動作を開始する。
【００４７】
３０は、予め使用者により設定することで、再生する順番を決定する制御を示す。（ここでは、着信時刻の早いものから再生する  と設定してある。）
３１は、用件メッセージに優先を示す：＊  １  ２の信号が付加されているか否かを判定する制御である。
＊  １  ２  が付加された用件メッセージが存在する場合は、そのメッセージを第１番目に再生する。
その次からは３３に示すように、着信時刻の早いものから再生を行なう。
【００４８】
３４で、着信履歴記憶部にある履歴すべてを再生したか否かを判定して、再生を終了するか、それとも続けて行なうかを判定する。
着信履歴記憶部にある履歴すべてを再生したら３５で再生を終了する。
【図面の簡単な説明】
【図１】本発明の留守番電話装置の一実施例を示す。
【図２】留守モード設定時の着信時の動作形態を示す。
【図３】用件メッセージの再生動作の形態を示す。
【図４】留守モード設定時の着信時の動作を表すフローチャートである。
【図５】用件メッセージの再生動作を表すフローチャートである。
【符号の説明】
１  回線
２  回線インターフェース部
３  発信者番号検出部
５  沿うサブ
６  表示部
７  電話番号記憶部
８  番号または符号記憶部
９  メッセージ記憶部
１０  着信履歴記憶部
【図１】
2004241807.tif 000003
【図２】
2004241807.tif 000004
【図３】
2004241807.tif 000005
【図４】
2004241807.tif 000006
【図５】
2004241807.tif 000007